(57)【要約】【課題】不測の事態等に対処可能であって、運動の用途に特化して使い勝手の向上をはかる。【解決手段】外部機器（ＰＣ１）と接続可能な、少なくとも、記憶部２１と、表示部２３とを有する携帯機器（運動量計測機器２）であって、外部機器から、設定されたコースの経路情報と、コースまたはコースから所定距離以内に位置する施設に対してコースからの最短距離をとる経路情報とを通信により取得して記憶部２１に保存し、携帯時、表示部２３に、記憶部２１に記憶されたコース、またはコースから施設までの最短の経路情報を現在位置とともに表示する制御部２０、を有する。【選択図】図１
2014048167.tif 000002
【特許請求の範囲】
【請求項１】
外部機器と接続可能な、少なくとも、記憶部と、表示部とを有する携帯機器であって、
前記外部機器から、設定されたコースの経路情報と、前記コースから外れた地点に対して前記コースからの最短距離をとる経路情報とを通信により取得して前記記憶部に保存し、
携帯時、前記表示部に、前記記憶部に記憶されたコースから前記地点までの最短の経路情報を現在位置とともに表示する制御部、
を有することを特徴とする携帯機器。
【請求項２】
前記コースから外れた地点は、前記コースから所定距離以内に位置する施設であることを特徴とする請求項１記載の携帯機器。
【請求項３】
外部機器と接続可能な、少なくとも、記憶部と、表示部とを有する携帯機器であって、
前記外部機器から、設定されたコースの経路情報と、前記コース上または、前記コースから所定距離以内に位置する地点に対して前記コースからの最短距離をとる経路情報とを取得して前記記憶部に保存し、
携帯時、前記表示部に、前記記憶部に記憶された前記コース上または、前記コースから前記地点までの最短の経路情報を現在位置とともに表示する制御部、
を有することを特徴とする携帯機器。
【請求項４】
前記制御部は、
前記外部機器から、更に、前記コースの経路になる道路の過去の渋滞情報を取得し、携帯する時刻に合わせて渋滞箇所を回避したコースを選択して前記表示部に表示することを特徴とする請求項１ないし３いずれか記載の携帯機器。
【請求項５】
入力部を更に有し、
前記制御部は、
前記入力部から第１の表示切替え要求を受信すると、前記表示部に、現在位置を含む前記コースを表示し、第２の表示切替え要求を受信すると、前記コースと現在位置を含む施設までの最短経路を表示することを特徴とする請求項１ないし３いずれか記載の携帯機器。
【請求項６】
外部機器と接続可能な、少なくとも、記憶部と、制御部と、表示部とを有する携帯機器に用いられるコースの表示方法であって、
前記制御部が、
前記外部機器から、設定されたコースの経路情報と、前記コースから所定距離以内に位置する地点に対して前記コースからの最短距離をとる経路情報とを通信により取得して前記記憶部に保存するステップと、
携帯時、前記表示部に、前記記憶部に記憶されたコースまたは前記コースから前記地点までの最短の経路情報を現在地とともに表示するステップと、
を有することを特徴とするコースの表示方法。
【請求項７】
コンピュータにより実行され、外部機器と接続可能な携帯機器に用いられるプログラムであって、
前記コンピュータに、
前記外部機器から、設定されたコースの経路情報と、前記コースから所定距離以内に位置する地点に対して前記コースからの最短距離をとる経路情報とを通信により取得して保存する処理と、
携帯時、前記記憶されたコースまたは前記コースから前記地点までの経路情報を現在地とともに表示する処理と、
を実行させるプログラム。
【発明の詳細な説明】
【技術分野】
【０００１】
本発明は、特に、ジョギングやウォーキング等、運動の際に設定されるコースの誘導案内に用いて好適な、携帯機器、およびコースの表示方法、並びにプログラムに関する。
【背景技術】
【０００２】
従来、例えば、特許文献１に示されるように、データベースに保存され、あるいはネットワークを介して取得される地図を含む施設情報に基づき、設定した目的地までルート案内を行う車載用ナビゲーションシステムが知られている。
【０００３】
ところで、ジョギングやウォーキング等、運動の際に携行する位置測位が可能な携帯機器として、従来、パーソナルナビゲーションデバイスと称される車両のルート案内をベースにしたものが普及してきた。この携帯機器によれば、予め設定したコースに基づき、道路の詳細情報とその周辺施設情報を全て利用しながら、都度、検索を行なうことで目的地までの経路（ルート）案内を可能にする。
【先行技術文献】
【特許文献】
【０００４】
【特許文献１】特開２００６−１４６５６２号公報
【発明の概要】
【発明が解決しようとする課題】
【０００５】
上記した従来の携帯機器によれば、全ての情報を持つか、ネットワーク上にある情報を利用することになり、利用者がその場で必要と判断した場合に必要とする新たな情報を検索し、出力される候補から選択して利用することになる。このため、大規模なナビゲーション装置、あるいはネットワークに接続するスマートフォン等の通信機器を携帯する必要がある。この場合、状況によって変化する目的地に対し臨機応変に対応できる効果はあるが、目的地に対する案内が前提であるため、運動を行う用途に特化した使い勝手の良さを求めることは困難である。具体的に、運動を行なう際には、運動に必要なもの以外をなるべく持ち歩きたくないという要望があるが、不測の事態に備えて持ち歩くものを多くすると運動自体に支障をきたす。
【０００６】
一方、運動を行う場合、毎回違うコースを利用してマンネリを打破するという運動の仕方があるが、同じコースで運動して、脚力、体力、スピード等の身体的能力の向上度を比較し易いようにするという方が一般的に多く行われる運動の仕方になる。同じコースを運動する場合には、運動コースはわかっているため、詳細な地図データ等を持ち歩く必要はなく、運動時の速度やチェックポイントでの時間を比較するための、速度、時間、位置が比較できることが望ましい。しかしながら、途中でコンビニやトイレに立ち寄りたい場合、あるいは渋滞に巻き込まれて危険に会う等の不測の事態が発生することが多々あり、この場合、その要求、あるいは不測の事態に合致した情報の提示があると非常に助かる。
【０００７】
本発明は上記した課題を解決するためになされたものであり、不測の事態等に対処可能な、運動の用途に特化して使い勝手の向上をはかった、携帯機器、およびコースの表示方法、並びにプログラムを提供することを目的とする。
【課題を解決するための手段】
【０００８】
上記した課題を解決するために請求項１記載の発明は、外部機器と接続可能な、少なくとも、記憶部と、表示部とを有する携帯機器であって、前記外部機器から、設定されたコースの経路情報と、前記コースから外れた地点に対して前記コースからの最短距離をとる経路情報とを通信により取得して前記記憶部に保存し、携帯時、前記表示部に、前記記憶部に記憶されたコースから前記地点までの最短の経路情報を現在位置とともに表示する制御部、を有することを特徴とする携帯機器を提供するものである。
【０００９】
請求項３記載の発明は、外部機器と接続可能な、少なくとも、記憶部と、表示部とを有する携帯機器であって、前記外部機器から、設定されたコースの経路情報と、前記コース上または、前記コースから所定距離以内に位置する地点に対して前記コースからの最短距離をとる経路情報とを取得して前記記憶部に保存し、携帯時、前記表示部に、前記記憶部に記憶された前記コース上または、前記コースから前記地点までの最短の経路情報を現在位置とともに表示する制御部、を有することを特徴とする携帯機器を提供するものである。
【００１０】
請求項６記載の発明は、外部機器と接続可能な、少なくとも、記憶部と、制御部と、表示部とを有する携帯機器に用いられるコースの表示方法であって、前記制御部が、前記外部機器から、設定されたコースの経路情報と、前記コースから所定距離以内に位置する地点に対して前記コースからの最短距離をとる経路情報とを通信により取得して前記記憶部に保存するステップと、携帯時、前記表示部に、前記記憶部に記憶されたコースまたは前記コースから前記地点までの最短の経路情報を現在地とともに表示するステップと、を有することを特徴とするコースの表示方法を提供するものである。
【００１１】
請求項７記載の発明は、コンピュータにより実行され、外部機器と接続可能な携帯機器に用いられるプログラムであって、前記コンピュータに、前記外部機器から、設定されたコースの経路情報と、前記コースから所定距離以内に位置する地点に対して前記コースからの最短距離をとる経路情報とを通信により取得して保存する処理と、携帯時、前記記憶されたコースまたは前記コースから前記地点までの経路情報を現在地とともに表示する処理と、を実行させるプログラムを提供するものである。
【発明の効果】
【００１２】
本発明によれば、不測の事態等に対処可能な、運動の用途に特化して使い勝手の向上をはかった、携帯機器、およびコースの表示方法、並びにプログラムを提供することができる。
【図面の簡単な説明】
【００１３】
【図１】本発明の実施の形態に係る携帯機器の構成を示すブロック図である。
【図２】本発明の実施の形態に係る携帯機器が接続されるＰＣの構成を示すブロック図である。
【図３】本発明の実施の形態に係る携帯機器の外部機器でのコース登録処理の動作を示すフローチャートである。
【図４】本発明の実施の形態に係る携帯機器のコースデータ登録処理の動作を示すフローチャートである。
【図５】本発明の実施の形態に係る携帯機器のコース案内処理の動作を示すフローチャートである。
【図６】図５の続きを示すフローチャートである。
【図７】本発明の実施の形態に係る携帯機器の動作を画面上に展開して示した図である。
【発明を実施するための形態】
【００１４】
以下、添付図面を参照して本発明を実施するための実施の形態（以下、単に実施形態という）について詳細に説明する。
【００１５】
（実施形態の構成）
図１は、本実施形態に係る携帯機器の構成を示すブロック図である。図１に示すように、本実施形態に係る携帯機器は、例えば、ウォーキングやランニング時に携帯し、予め設定したコースを歩行あるいは走行したときの平均速度や消費カロリー等の数値データを計測することのできる運動量計測機器２である。運動量計測装置２は、制御部２０と、記憶部２１と、入力部２２と、表示部２３と、通信部２４と、ＧＰＳ（Global Positioning System）レシーバ２５と、電源部２６と、を含み構成される。運動量計測装置２は、ＵＳＢ（Universal Serial Bus）経由で外部機器としてのＰＣ（Personal Computer）１に接続され、ＰＣ１からＵＳＢ通信によりにより登録済みのコースデータの取得が可能である。
【００１６】
記憶部２１は、例えば、ＤＲＡＭ（Dynamic Random Access Memory）やＳＤＲＡＭ（Synchronous DRAM）を記憶素子として持つ半導体記憶装置、あるいはＨＤ（Hard Disc）等の磁気ディスク装置からなり、本実施形態に係るプログラムが記憶されるプログラム領域２１１の他に、ＰＣ１から通信により取得されるコースデータや、運動による移動に伴って変化するコース軌跡データ、あるいは後述する到着フラグ等を記憶する作業領域２１２等がそれぞれ領域分けされて格納される。
【００１７】
入力部２２は、例えば、キースイッチ等の入力デバイス、あるいはスティック等のポインティングデバイスである。入力部２２は、利用者がスイッチ操作することによって制御部２０に対して表示切替え要求を発行する。この表示切替え要求を受信した制御部２０は、表示部２３に、記憶部２１の作業領域２１２に記憶されたコース、またはコースから施設までの最短の経路情報を現在位置とともに表示する。表示部２３は、ＬＣＤ（Liquid Crystal Device）や有機ＥＬ（Organic Electro-Luminescence）等の表示素子を有する表示モニタであり、制御部２０により、記憶部２１の作業領域２１２に記憶されたコース、またはコースから施設までの最短の経路情報が現在位置とともに表示される。
【００１８】
通信部２４は、ＰＣ１との接続インタフェースを司るもので、ここではＵＳＢインタフェースを介した通信によりデータ転送を行う。具体的には、ＰＣ１を操作することにより設定されるコースデータ、周辺の施設情報、あるいは必要に応じてコースとなる道路の渋滞情報等が運動量計測装置２に転送される。ＧＰＳレシーバ２５は、複数のＧＰＳ衛星から、制御部２０が位置測位演算を行う際に必要な現在位置における、緯度・経度に関する情報を受信する。
【００１９】
電源部２６は、制御部２０をはじめ、記憶部２１、入力部２２、表示部２３、通信部２４、ＧＰＳレシーバ２５等、携帯機器２を構成する各ハードウェアブロックに電力を供給するバッテリである。なお、入力部２２と表示部２３は、入力部２２が持つ入力機能と表示部２３が持つ表示機能とが一体化され構成されるタッチパネルで代替してもよい。
【００２０】
制御部２０は、例えば、マイクロプロセッサで構成され、記憶部２１のプログラム領域２１１に格納された本実施形態に係るプログラムを逐次読み出し実行することにより、ＰＣ１から、設定されたコースの経路情報と、コースまたはコースから所定距離以内に位置する施設に対してコースからの最短距離をとる経路情報とを通信により取得して記憶部２１の作業領域２１２に保存し、運動に伴う携帯時、表示部２３に、記憶部２１に記憶されたコース、またはコースから施設までの最短の経路情報を現在位置とともに表示する処理を実行する。
【００２１】
このとき、制御部２０は、ＰＣ１から、更に、コースの経路になる道路の過去の渋滞情報を取得し、運動時刻に合わせて渋滞箇所を回避したコースを選択して表示部２３に表示してもよい。また、制御部２０は、入力部２２から第１の表示切替え要求を受信すると、表示部２３に、現在位置を含むコースを表示し、第２の表示切替え要求を受信すると、コースと現在位置を含む施設までの最短経路を表示してもよい。
【００２２】
このため、制御部２０が実行する本実施形態に係るプログラムの構造を機能別に展開して示すと、図１の点線枠内に示すように、主制御部２００と、コースデータ取得・保存部２０１と、コース切替え表示制御部２０２と、位置測位演算部２０３と、移動軌跡保存処理部２０４と、時計部（Real Time Clock）２０５とを含むブロック構成になる。
【００２３】
コースデータ取得・保存部２０１は、ＰＣ１によって設定され登録された運動コースを通信部２４による通信により取得して主制御部２００に転送する。コース切替え表示制御部２０２は、主制御部２００が入力部２２から表示切替え要求を受信すると、表示部２３に対し、現在位置を含むコース、あるいはコースと現在位置を含む施設までの最短経路を表示する。コース切替え表示制御部２０２は、コースの経路を表示するにあたり、コースデータ取得・保存部２０１がＰＣ１からコースの経路になる道路の過去の渋滞情報を取得してあれば、後述する時計部２０５により計時される運動時刻に合わせて渋滞箇所を回避したコースを選択して表示部２３に表示してもよい。
【００２４】
位置測位演算部２０３は、ＧＰＳレシーバ２５が受信した現在位置測位のために必要な緯度・経度の情報から現在位置を一定時間間隔で測位し、逐次、主制御部２００に転送する。移動軌跡保存処理部２０４は、位置測位演算部２０３で測位演算された運動量計測機器２の現在位置の軌跡を所定時間分トレースして記憶部２１の作業領域２１２に保存する処理を実行する。時計部２０５は、現在時刻を計時する内部時計である。
【００２５】
なお、主制御部２００は、制御部２０が、ＰＣ１から、設定されたコースの経路情報と、コースまたはコースから所定距離以内に位置する施設に対してコースからの最短距離をとる経路情報とを通信により取得して記憶部２１の作業領域２１２に保存し、携帯時、表示部２３に、記憶部２１に記憶されたコース、またはコースから施設までの最短の経路情報を現在位置とともに表示する処理を実行するように、上記したコースデータ取得・保存部２０１、コース切替え表示制御部２０２、位置測位演算部２０３、移動軌跡保存処理部２０４、時計部２０５のシーケンス制御を司る。
【００２６】
図２は、外部機器であるＰＣ１の構成を示すブロック図である。図２によれば、ＰＣ１は、制御部１０と、記憶部１１と、入力部１２と、表示部１３と、通信部１４と、により構成される。
【００２７】
記憶部１１には、地図データ、経路探索用データ、および、公衆トイレ、コンビニ、警察等の施設データが地図ＤＢ（Data Base）１１１として格納される他、設定されたコースの過去の渋滞情報１１２、現在を含む過去に設定登録された運動コースが示される運動コース情報１１３が、それぞれ格納されている。制御部１０は、利用者がコースを設定するにあたり、記憶部１１に格納された地図ＤＢ１１１を参照して表示部１３に地図表示を行う他、例えば、入力部１２が表示部１３に表示された地図の道路をなぞる操作を検知することにより、あるいは過去に設定したコースを選択することにより運動コースを設定し、更に、その運動コースにおける各チェックポイントから入力部１２によって選択される特定の施設までの経路探索を行う。
【００２８】
このため、制御部１０は、経路探索エンジン１０１と、運動コース設定エンジン１０２と、運動コース登録エンジン１０３と、を含み構成される。経路探索エンジン１０１は、コースから特定の施設までの経路探索を行なって周辺施設を含むコースの地図表示を行ない、運動コース設定エンジン１０２は、入力部１２による操作を検知して運動コースを設定する処理を実行し、運動コース登録エンジン１０３は、運動コース設定エンジン１０２で設定された運動コースを記憶部１１の運動コース情報１１３として保存する処理を実行する。運動コース設定エンジン１０２は、コース設定にあたり、記憶部１１の過去の渋滞情報１１２を参照し、設定された運動コースに渋滞箇所があれば、経路探索エンジン１０１によりその渋滞箇所を回避してコースを設定することができる。
【００２９】
なお、制御部１０は、各種エンジン１０１，１０２，１０３を実行する、例えば、マイクロブロセッサであり、記憶部１１は、ＤＲＡＭやＳＤＲＡＭを記憶素子として持つ半導体記憶装置、あるいはＨＤ等の磁気ディスク装置であり、入力部１２は、キースイッチを含むポインティングデバイス、表示部１３は、ＬＣＤや有機ＥＬ等の表示素子を有する表示モニタであり、通信部１４は、運動量計測機器２と通信を行うＵＳＢ通信インタフェースである。
【００３０】
（実施形態の動作）
以下、本実施形態に係る携帯機器（運動量計測機器２）の動作について、図３〜図６に示すフローチャートを参照しながら詳細に説明する。図３は、ＰＣ１によるコース登録処理、図４は、運動量計測機器２によるコースデータ登録処理、図５、図６は、運動量計測機器２によるコース案内処理を示す、それぞれの動作フローチャートである。
【００３１】
まず、ＰＣ１によるコース登録処理について図３のフローチャートを参照しながら説明する。本実施形態に係る携帯機器（運動量計測機器２）では、利用者は、外部機器であるＰＣ１を使用することによって運動コースを設定登録するものとする。すなわち、利用者が入力部１２を操作することにより、制御部１０は表示部１３に対し、登録しようとするコース周辺の地図を表示する（ステップＳ１０１）。地図表示が行われると、利用者は、その表示された地図上に示される道路をなぞる操作を行うか、記憶部１１に運動コース情報１１３として過去に登録された運動コースを選択することによりコース入力を行う。
【００３２】
制御部１０は、表示部１３に表示された道路を利用者が入力部１２によってなぞる動作を検知するか、過去の登録コースの選択操作が行われると（ステップＳ１０３“Ｙｅｓ”）、運動コース設定エンジン１０２を起動する。運動コース設定エンジン１０２は、なぞった軌跡を取り込むことにより、あるいはコース選択操作により読み込まれた運動コースに基づくコース設定のためのコース入力処理を実行する（ステップＳ１０２）。
【００３３】
コース入力が終了すると（ステップＳ１０３“Ｙｅｓ”）、制御部１０は、経路探索エンジン１０１を起動し、経路探索エンジン１０１による周辺施設のルート探索が開始される（ステップＳ１０４）。ここでは、利用者が意図することなく、コース、および公衆トイレ、コンビニ、警察等の、コースから所定距離範囲に位置する周辺施設も探索されるものとし、運動コースからその特定施設までの最短距離が計算される（ステップＳ１０５）。ルート検索処理が終了すると（ステップＳ１０６“Ｙｅｓ”）、経路探索エンジン１０１は、更に記憶部１１に格納されている過去の渋滞情報１１２を検索し（ステップＳ１０７）、運動コースの過去の渋滞箇所を回避した設定を行ない、その結果を運動コース登録エンジン１０３に引き渡す。
【００３４】
運動コース登録エンジン１０３は、経路探索エンジン１０１、および運動コース設定エンジン１０２により設定されたコースを、記憶部１１の運動コース情報１１３に格納する。このように、運動コース情報１１３に新たに登録されるコースは、当該コースの地図、経路（ルート）情報、公衆トイレ、コンビニ、警察等、コース周辺の施設情報を合わせ持ち、利用者が意図することなく登録されるこれら特定の施設と、その施設までのコースからの最短距離が渋滞情報を反映して登録される（ステップＳ１０８）。
【００３５】
次に、携帯機器（運動量計測機器２）によるコースデータ登録処理について、図４のフローチャートを参照しながら説明する。図４によれば、運動量計測機器２の制御部２０（主制御部２００）は、まず、通信部２４によるＰＣ１（通信部１４）との間のＵＳＢ接続が有効か否かを判定する（ステップＳ２０１）。有効であれば（ステップＳ２０１“Ｙｅｓ”）、主制御部２００はコースデータ取得・保存部２０１を起動し、コースデータ取得・保存部２０１は、通信によりＰＣ１の記憶部１１の運動コース情報１１３に登録された設定済みの運動コースを取得するコースデータ通信処理を実行する（ステップＳ２０２）。
【００３６】
通信が終了してＰＣ１で設定したコースデータの取得が終了すると（ステップＳ２０３“Ｙｅｓ”）、コースデータ取得・保存部２０１は、記憶部２１の作業領域２１２に、通信により取得した運動コースを保存するコースデータ保存処理を実行することにより（ステップＳ２０４）、一連のコースデータ登録処理を終了する。
【００３７】
次に、運動量計測機器２によるコース案内処理について、図５、図６のフローチャートを参照しながら説明する。図５、図６によれば、制御部２０（主制御部２００）は、位置測位演算部２０３でＧＰＳレシーバ２５から受信した緯度・経度の情報から指定されたタイミングで現在位置を測位している（ステップＳ３０１）。また、ジョギングやウォーキング等の運動に伴う運動量計測機器２の移動により、移動軌跡保存処理部２０４は、常時その移動軌跡を算出して記憶部２１の作業領域２１２に保存する移動軌跡保存処理環実行している。
【００３８】
主制御部２００は、位置測位演算により現在位置が確定すると（ステップＳ３０２“Ｙｅｓ”）、記憶部２１の作業領域に保存された運動コース登録情報を参照することにより、運動コースの登録の有無を判定する（ステップＳ３０３）。なお、現在位置が確定できなかった場合（ステップＳ３０２“Ｎｏ”）、主制御部２００は、表示部２３に前回タイミングで確定した現在位置を表示してステップＳ３０１の位置測位処理に復帰する（ステップＳ３０４）。
【００３９】
ステップＳ３０３のコース登録判定処理でコース登録がなければ（ステップＳ３０３“Ｎｏ”）、主制御部２００は、表示部２３に現在位置を表示してコース案内処理を終了する（ステップＳ３０５）。一方、コース登録があれば（ステップＳ３０３“Ｙｅｓ”）、入力部２２のスイッチ操作によるコース切替え要求の有無を判定する（ステップＳ３０６）。
【００４０】
ここで、スイッチ１操作によるコース切替え表示要求であれば（ステップＳ３０７“Ｙｅｓ”）、コース切替え表示制御部２０２は、表示部２３に、位置測位演算部２０３で測位した現在位置を含む登録された運動コースを表示する（ステップＳ３０８）。また、スイッチ２操作によるコース切替え表示要求であれば（ステップＳ３０９“Ｙｅｓ”）、コース切替え表示制御部２０２は、表示部２３に、登録された運動コースと、位置測位演算部２０３で測位した現在位置と、公衆トイレ施設までの最短の経路情報とを表示する（ステップＳ３１０）。また、スイッチ３操作によるコース切替え表示要求であれば（ステップＳ３１１“Ｙｅｓ”）、コース切替え表示制御部２０２は、表示部２３に、登録された運動コースと、位置測位演算部２０３で測位した現在位置と、コンビニ施設までの最短の経路情報とを表示する（ステップＳ３１２）。また、スイッチ４操作によるコース切替え表示要求であれば（ステップＳ３１３“Ｙｅｓ”）、コース切替え表示制御部２０２は、表示部２３に、登録された運動コースと、位置測位演算部２０３で測位した現在位置と、警察施設までの最短の経路情報とを表示する（ステップＳ３１４）。
【００４１】
続いて、主制御部２００は、目的地への到着の有無を判定する（図６のステップＳ３１５）。目的地への到着の有無は、記憶部２１の作業領域２１２に、登録された運動コース毎に設定される到着フラグのＯＮ／ＯＦＦにより判定する。目的地へ到着したことが確認されると（ステップＳ３１５“Ｙｅｓ”）、主制御部２００は、該当の到着フラグをＯＮ設定する到着処理を実行する（ステップＳ３１６）。未到着の場合は（ステップＳ３１５“Ｎｏ”）、更に、到着処理後のコース復帰処理要求の有無を判定する（ステップＳ３１７）。ここで、到着処理後のコース復帰処理要求があれば（ステップＳ３１７“Ｙｅｓ”）、ステップＳ３０１の位置測位処理に復帰し、到着処理後のコース復帰処理要求でなければ（ステップＳ３１７“Ｎｏ”）、到着フラグをＯＦＦして目的地に未到着であることを示す復帰処理を実行して一連のコース案内処理を終了する。
【００４２】
なお、図５、図６のフローチャートでは図示省略したが、制御部２０（主制御部２００）は、運動コース、あるいは運動コースから公衆トイレ、コンビニ、警察等の特定の施設までの経路情報を表示するにあたり、ＰＣ１から通信部２４を介して登録された運動コースの経路になる道路の過去の渋滞情報を取得することにより、時計部２０５により計時される運動時刻に合わせて渋滞箇所を回避したコースを選択して表示部２３に表示することもできる。
【００４３】
図７に、本実施形態の係る携帯機器（運動量計測機器２）の動作が画面上に展開され示されている。図７（ａ）は、ＰＣ１でのコース登録処理時に表示部１３に表示される地図、および設定コースを示し、ここで設定された運動コース、および運動コース周辺に位置する施設（公衆トイレＡ，Ｂと、コンビニＡ，Ｂ）が最短距離の経路で表示され、記憶部１１の運動コース情報１１３として登録される。図７（ｂ）（ｃ）は、運動量計測機器２でのコース案内処理時に表示部２３に表示される設定された運動コースを示し、図７（ｂ）に案内されるウォーキングコースと現在位置（図中、△マーク）が、図７（ｃ）にウォーキングコースと現在位置から最も近くに位置するコンビニＡが特定の施設として表示されている。
【００４４】
（実施形態の効果）
以上説明のように本実施形態に係る携帯機器（運動量計測機器２）によれば、制御部２０は、ＰＣ１から、設定されたコースの経路情報と、コースまたはコースから所定距離以内に位置する施設に対してコースからの最短距離をとる経路情報とを通信により取得して記憶部２１に記憶しておく。そして、この運動量計測機器２を運動時に携帯し、表示部２３に、記憶部２１に記憶されたコース、またはコースから施設までの最短の経路情報を現在位置とともに表示する。このことによって不測の事態が発生した場合に利用者が入力部２２によりコース切替え要求を発行する操作を行うことで、例えば、喉が渇いた場合にはコンビニまでのコースと距離を案内する表示に切替え、公衆トイレに行きたい場合にはその場所から最も近い公衆トイレの場所やコンビニを案内する表示に切り替えることができる。したがって、大規模なナビゲション装置、あるいはネットワークに接続するスマートフォン等の通信機器を携帯することなく経路案内が可能になり、不測の事態等に対処可能な、運動の用途に特化して使い勝手の向上をはかった携帯機器を提供することができる。
【００４５】
また、運動コースとして利用する道路の過去の道路の渋滞情報を用いて、運動する時間に合わせた道路状態を予測することに利用し、運動を開始する際に、時間帯別に渋滞を判定することにより道路通過の安全性を予測し、登録された複数の他のコースと運動しようとするコースの安全性とを比較することで、現在時刻で最も安全なコースを選択して案内し、あるいは迂回コースを誘導案内することによる危険回避も可能になる。
【００４６】
なお、本実施形態に係る携帯機器として運動量計測機器２のみ例示して説明したが、他の携帯機器にも適用が可能であり、例えば、ＧＰＳ付きの時計機能を有する時計等であってもよい。
【００４７】
本実施形態に係るコースの表示方法は、例えば図１に示すように、外部機器（ＰＣ１）と接続可能な、少なくとも、記憶部２１と、制御部２０と、表示部２３とを有する携帯機器（運動量計測機器２）に用いられるコースの表示方法である。そして、その表示方法は、例えば、図４に示すように、制御部２０が、外部機器（ＰＣ１）から、設定されたコースの経路情報と、コースまたはコースから所定距離以内に位置する施設に対してコースからの最短距離をとる経路情報とを通信により取得して記憶部２１に保存するステップ（Ｓ２０１〜Ｓ２０４）と、例えば、図５、図６に示すように、携帯時、表示部２３に、記憶部２１に記憶されたコースまたはコースから施設までの最短の経路情報を現在地とともに表示するステップ（Ｓ３０１〜Ｓ３１８）とを有することを特徴とする。
【００４８】
本実施形態に係るコースの表示方法によれば、不測の事態等に対処可能であって、運動の用途に特化して使い勝手の向上をはかることができる。
【００４９】
また、本実施形態に係るプログラムは、例えば、図１に示すように、コンピュータ（制御部２０）により実行され、外部機器（ＰＣ１）と接続可能な携帯機器（運動量計測機器２）に用いられる記憶部２１のプログラム領域２１１に格納されるプログラムである。そして、そのプログラムは、例えば、図４に示すように、コンピュータ（制御部２０）に、外部機器（ＰＣ１）から、設定されたコースの経路情報と、コースまたはコースから所定距離以内に位置する施設に対してコースからの最短距離をとる経路情報とを通信により取得して保存する処理（Ｓ２０１〜Ｓ２０４）と、例えば、図５、図６に示すように、携帯時、記憶されたコースまたはコースから施設までの経路情報を現在地とともに表示する処理（Ｓ３０１〜Ｓ３１８）と、を実行させることを特徴とする。
【００５０】
本実施形態に係るプログラムによれば、コンピュータ（制御部２０）が記憶部２１のプログラム領域２１１に格納された本プログラムを読み出し、作業領域２１２に格納されたデータを用いて逐次実行することにより、不測の事態等に対処可能であって、運動の用途に特化して使い勝手の向上をはかる携帯機器を提供することができる。
【００５１】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。また、実施形態では施設がコースから所定距離以内に位置するものとして説明したが、所定距離がゼロ、すなわちコース上に存在していてもよい。また、所定距離とは、常識的に運動中に立ち寄り可能な距離である。
【００５２】
以下に、本願出願時の特許請求の範囲を付記する。
［請求項１］
外部機器と接続可能な、少なくとも、記憶部と、表示部とを有する携帯機器であって、
前記外部機器から、設定されたコースの経路情報と、前記コースから外れた地点に対して前記コースからの最短距離をとる経路情報とを通信により取得して前記記憶部に保存し、
携帯時、前記表示部に、前記記憶部に記憶されたコースから前記地点までの最短の経路情報を現在位置とともに表示する制御部、
を有することを特徴とする携帯機器。
［請求項２］
前記コースから外れた地点は、前記コースから所定距離以内に位置する施設であることを特徴とする請求項１記載の携帯機器。
［請求項３］
外部機器と接続可能な、少なくとも、記憶部と、表示部とを有する携帯機器であって、
前記外部機器から、設定されたコースの経路情報と、前記コース上または、前記コースから所定距離以内に位置する地点に対して前記コースからの最短距離をとる経路情報とを取得して前記記憶部に保存し、
携帯時、前記表示部に、前記記憶部に記憶された前記コース上または、前記コースから前記地点までの最短の経路情報を現在位置とともに表示する制御部、
を有することを特徴とする携帯機器。
［請求項４］
前記制御部は、
前記外部機器から、更に、前記コースの経路になる道路の過去の渋滞情報を取得し、携帯する時刻に合わせて渋滞箇所を回避したコースを選択して前記表示部に表示することを特徴とする請求項１ないし３いずれか記載の携帯機器。
［請求項５］
入力部を更に有し、
前記制御部は、
前記入力部から第１の表示切替え要求を受信すると、前記表示部に、現在位置を含む前記コースを表示し、第２の表示切替え要求を受信すると、前記コースと現在位置を含む施設までの最短経路を表示することを特徴とする請求項１ないし３いずれか記載の携帯機器。
［請求項６］
外部機器と接続可能な、少なくとも、記憶部と、制御部と、表示部とを有する携帯機器に用いられるコースの表示方法であって、
前記制御部が、
前記外部機器から、設定されたコースの経路情報と、前記コースから所定距離以内に位置する地点に対して前記コースからの最短距離をとる経路情報とを通信により取得して前記記憶部に保存するステップと、
携帯時、前記表示部に、前記記憶部に記憶されたコースまたは前記コースから前記地点までの最短の経路情報を現在地とともに表示するステップと、
を有することを特徴とするコースの表示方法。
［請求項７］
コンピュータにより実行され、外部機器と接続可能な携帯機器に用いられるプログラムであって、
前記コンピュータに、
前記外部機器から、設定されたコースの経路情報と、前記コースから所定距離以内に位置する地点に対して前記コースからの最短距離をとる経路情報とを通信により取得して保存する処理と、
携帯時、前記記憶されたコースまたは前記コースから前記地点までの経路情報を現在地とともに表示する処理と、
を実行させるプログラム。
【符号の説明】
【００５３】
１…外部機器（ＰＣ）、２…携帯機器（運動量計測機器）、２０…制御部、２１…記憶部、２２…入力部、２３…表示部、２４…通信部、２５…ＧＰＳレシーバ、２６…電源部、２００…主制御部、２０１…コースデータ取得・保存部、２０２…コース切替え表示制御部、２０３…位置測位演算部、２０４…移動軌跡保存処理部、２０５…時計部
【図１】
2014048167.tif 000003
【図２】
2014048167.tif 000004
【図３】
2014048167.tif 000005
【図４】
2014048167.tif 000006
【図５】
2014048167.tif 000007
【図６】
2014048167.tif 000008
【図７】
2014048167.tif 000009